(57)【要約】  【課題】高さ方向に積み重ねる際に安定した状態で持ち上げることが可能な椅子を提供する。  【解決手段】高さ方向に積み重ねることが可能な椅子１であって、持ち上げる際に使用者の手が引っ掛け可能な背側ハンドル部４１１を有する背凭れ４と、使用者が着座可能な着座位置（Ｘ）と、背凭れ４に向かって跳ね上がった跳ね上げ位置（Ｙ）との間で回動可能な座５とを備え、座５の裏面に、座５を跳ね上げ位置（Ｙ）に位置付けて持ち上げる際に使用者の手が引っ掛け可能な座側ハンドル部５１１を設けた。【選択図】図４
2009082684.tif 000002
【特許請求の範囲】
【請求項１】
高さ方向に積み重ねることが可能な椅子であって、
持ち上げる際に使用者の手が引っ掛け可能な背側ハンドル部を有する背凭れと、
使用者が着座可能な着座位置と、背凭れに向かって跳ね上がった跳ね上げ位置との間で回動可能な座とを備え、
当該座の裏面に、座を前記跳ね上げ位置に位置付けて持ち上げる際に使用者の手が引っ掛け可能な座側ハンドル部を設けていることを特徴とする椅子。
【請求項２】
前記座側ハンドル部を前記座の裏面における前端部近傍部位に設けている請求項１記載の椅子。
【請求項３】
前記座を跳ね上げ位置に位置付けた状態で水平方向に重ねることが可能であり、前記座側ハンドル部が、前方に位置する他の椅子の背凭れに当たることによって適正な水平スタッキング位置を決めるストッパとして機能する請求項１又は２記載の椅子。
【請求項４】
前記座側ハンドル部が、前記着座位置において他の部位より下方に突出したものであり、当該座側ハンドル部の突出端部を、前記背凭れの背面部にフィットする形状にしている請求項３記載の椅子。
【請求項５】
前記座を跳ね上げ位置に位置付けた状態で水平方向に重ねることが可能であり、前記座側ハンドル部が、適正な水平スタッキング位置を示唆する形状をなし且つ当該形状により適正な水平スタッキング位置を示唆する水平スタッキング位置示唆部として機能する請求項１又は２記載の椅子。
【請求項６】
前記座が単一のシェル構造体からなる座本体を備えたものであり、当該座本体に前記座側ハンドル部を一体に設けている請求項１、２、３、４又は５記載の椅子。
【請求項７】
前記背凭れが単一のシェル構造体からなる背凭れ本体を備えたものであり、当該背凭れ本体に前記背側ハンドル部を一体に設けている請求項１、２、３、４、５又は６記載の椅子。
【請求項８】
前記座を回動可能に支持する座支持体を備え、
前記座の裏面に、当該座を前記着座位置から前記跳ね上げ位置へ向かって回動させた際に、他の部位に優先して前記座支持体に当接し、当該座のそれ以上同一方向への回動を規制する突起部を設け、
当該突起部にその圧縮方向に当接力が作用するように当該突起部を前記座支持体に当接させる請求項１、２、３、４、５、６又は７記載の椅子。
【請求項９】
前記座が、裏面から下方に突出する前記突起部を前記座の回動中心よりも後方に設けたものであり、
当該座を前記着座位置から前記跳ね上げ位置に向かって回動させた際に、前記突起部の下向面が前記座支持体に当接し得るようにしている請求項８記載の椅子。
【請求項１０】
前記座を前記跳ね上げ位置に位置付けた際に、前記突起部の前記下向面の全領域又は略全領域が前記座支持体に当接するようにしている請求項９記載の椅子。
【請求項１１】
前記座を前記跳ね上げ位置に位置付けた状態で水平方向に重ねることが可能であり、
水平方向に重ねた際に、相対的に後方側のものにおける前記座の前端部又は前端部近傍部位が、他の部位よりも優先して相対的に前方側のものにおける前記背凭れの背面に当接するようにし、
前記座の前端部又は前端部近傍と前記背凭れの背面との当接時の衝撃を緩和する緩衝手段を備えている請求項８、９又は１０記載の椅子。
【請求項１２】
前記突起部が樹脂製のものであり、
前記緩衝手段が、前記座を前記跳ね上げ位置に位置付けた状態で前記座支持体に当接している前記突起部を、前記座の前端部又は前端部近傍と前記背凭れの背面との当接時に弾性変形させることによって、当該当接時の衝撃を緩和するものである請求項１１記載の椅子。
【請求項１３】
前記座の裏面に前記突起部を複数設けている請求項８、９、１０、１１又は１２記載の椅子。
【請求項１４】
前記座が、当該座の裏面を形成する単一のシェル構造体からなる座本体を備えたものであり、当該座本体に前記突起部を一体に設けている請求項８、９、１０、１１、１２又は１３記載の椅子。
【請求項１５】
前記座支持体が、前記座の回動中心となる回転軸と、当該回転軸よりも前方に設けられ、且つ前記着座位置に位置付けた座を裏面側から支持する支持フレームとを備えたものであり、
前記座を前記着座位置から前記跳ね上げ位置へ向かって回動させた際に、前記突起部が前記支持フレームに当接するようにしている請求項８、９、１０、１１、１２、１３又は１４記載の椅子。
【請求項１６】
前記座を前記跳ね上げ位置に位置付けた状態で水平方向に重ねることが可能であり、
水平方向に重ねた際に、相対的に後方側のものにおける座の裏面を形成する樹脂製の座本体と、相対的に前方側のものにおける背凭れの背面を形成する樹脂製の背凭れ本体とが、他の部位よりも優先して相互に当接するようにしている請求項１、２、３、４、５、６、７、８、９、１０、１１、１２、１３、１４又は１５記載の椅子。
【発明の詳細な説明】
【技術分野】
【０００１】
本発明は、使用者が着座可能な着座位置と、背凭れに向かって跳ね上がった跳ね上げ位置との間で回動可能な座を備え、高さ方向に積み重ねることが可能な椅子に関するものである。
【背景技術】
【０００２】
従来より、収納スペースの縮小化や、搬出入時・移動時の効率化等の観点から、高さ方向に積み重ねること（以下、「垂直スタッキング」と称す）が可能な椅子が知られている。そして、垂直スタッキングを行う際に、背凭れに設けたハンドル部を持つことにより持ち上げることが可能な椅子が考えられている。その一例として、背凭れを樹脂製のシェル構造体から形成し、このシェル構造体の上端部に、後方に延出させたリブをハンドル部として機能させる椅子（例えば下記特許文献１）や、背の背面側にパイプ状のハンドル部を設けた椅子（例えば下記特許文献２）が挙げられる。
【特許文献１】実開昭５１―７５４０５号公報
【特許文献２】特開２００６―１３６５７０号公報
【発明の開示】
【発明が解決しようとする課題】
【０００３】
ところで、安定した状態で椅子を持ち上げるために、通常は、一方の手で前記背凭れに設けたハンドル部を持つとともに、他方の手で座の一部を持つようにしている。しかしながら、従来の椅子は座に専用のハンドル部を設けていないため、例えば座の前端部を掴む場合は、掴み損ねることがある等、持ち上げる作業を安定した姿勢でスムーズに行うことができないという不具合が生じる。また、座が、略水平姿勢をとる着座位置と、背凭れに向かって跳ね上がった跳ね上げ位置との間で回動可能なものである場合、座の一部を掴んで持ち上げる際に、座が不意に回動することによって、指を挟むというケースや安定した持ち上げ姿勢のバランスが崩れるというケースが起こり得る。
【０００４】
さらに、高さ方向のスタッキングに加えて、水平方向のスタッキングも可能な椅子が知られている。このような椅子においては、所定のスタッキングピッチを確保するために、例えば脚部等の所定部位に他の部位よりも前方に突出させたストッパを設け、このストッパを前方の椅子の所定部位に当てる態様が知られている。しかしながら当該ストッパは専用品であり、このストッパを設ける箇所がある程度限定されるため、その分デザインの自由度が制約されるという不具合もある。
【０００５】
本発明は、このような課題に着目してなされたものであって、主たる目的は、高さ方向に積み重ねる際に安定した状態でスムーズに持ち上げることが可能な椅子を提供することにある。
【課題を解決するための手段】
【０００６】
すなわち、本発明の椅子は、高さ方向に積み重ねることが可能なものであって、持ち上げる際に使用者の手が引っ掛け可能な背側ハンドル部を有する背凭れと、使用者が着座可能な着座位置と、背凭れに向かって跳ね上がった跳ね上げ位置との間で回動可能な座とを備え、当該座の裏面に、座を前記跳ね上げ位置に位置付けて持ち上げる際に使用者の手が引っ掛け可能な座側ハンドル部を設けていることを特徴とする。
【０００７】
このようなものであれば、背凭れと座にそれぞれハンドル部を設けた態様であるため、垂直スタッキングを行う場合には、一方の手で背側ハンドル部を掴むとともに、他方の手で座側ハンドル部を掴むことによって、持ち上げる作業を安定した姿勢でスムーズに行うことができる。また、予め跳ね上げ位置に位置付けた状態で座側ハンドル部を掴むようにしているため、垂直スタッキング作業中に座が不意に跳ね上がって指を挟むという事態が生じ得ず、安全性も向上する。さらに、座側ハンドル部を座の裏面に設けているため、通常の使用状態、すなわち座を着座位置に位置付けた状態では、座側ハンドル部が座の表面側に露出することがなく、外観を損なうことがない。
【０００８】
特に、前記座側ハンドル部を前記座の裏面における前端部近傍部位に設けていれば、座を跳ね上げ位置に位置付けた場合に、座側ハンドル部が当該座の上端部近傍に位置付けられることになり、この座側ハンドル部に手を掛けるために深く腰を折る必要が無く、楽な姿勢で座側ハンドル部を掴むことができる。
【０００９】
さらに、前記座を跳ね上げ位置に位置付けた状態で水平方向に重ねることが可能であり、前記座側ハンドル部を、前方に位置する他の椅子の背凭れに当たることによって適正な水平スタッキング位置を決めるストッパとして機能させれば、水平スタッキング位置が簡単に決まり、所定の水平スタッキングピッチを確保するために別途専用のストッパが不要となり、部品点数の削減を図ることができ、デザインの自由度も増す。また、水平スタッキングピッチを最小限に抑えることも可能となる。
【００１０】
座側ハンドル部をストッパとして機能させる場合、前記座側ハンドル部が、前記着座位置において他の部位より下方に突出したものであり、当該座側ハンドル部の突出端部を、前記背凭れの背面部にフィットする形状にしていることが好ましい。このように、座側ハンドル部の突出端部が背凭れの背面部に沿う形状であれば、座を跳ね上げ位置に位置付けた状態で前記座側ハンドル部を、前方に位置する他の椅子の背凭れに当てた際に、座側ハンドル部の突出端部が背凭れの背面部に、あそびの無い状態で又は若干あそびのある状態で嵌り、適正な水平スタッキング位置を簡単に決めることができる。
【００１１】
また、前記座を跳ね上げ位置に位置付けた状態で水平方向に重ねることが可能であり、前記座側ハンドル部が、適正な水平スタッキング位置を示唆する形状をなし且つ当該形状により適正な水平スタッキング位置を示唆する水平スタッキング位置示唆部として機能するものであれば、水平スタッキングを行う際に、作業者がスタッキング位置を直感的に把握でき、作業性向上に資する。
【００１２】
好適な実施態様としては、前記座が単一のシェル構造体からなる座本体を備えたものであり、当該座本体に前記座側ハンドル部を一体に設けている態様や、前記背凭れが単一のシェル構造体からなる背凭れ本体を備えたものであり、当該背凭れ本体に前記背側ハンドル部を一体に設けている態様が挙げられる。
【００１３】
さらに、前記座を回動可能に支持する座支持体を備え、前記座の裏面に、当該座を前記着座位置から前記跳ね上げ位置へ向かって回動させた際に、他の部位に優先して前記座支持体に当接し、当該座のそれ以上同一方向への回動を規制する突起部を設け、当該突起部にその圧縮方向に当接力が作用するように当該突起部を前記座支持体に当接させる態様であれば、突起部を座支持体に当接させた際に、過度の当接力が突起部に作用した場合であっても突起部が座の裏面から取れることなく、良好な当接状態が維持され、突起部の突出方向に沿った圧縮強度を利用して、座のそれ以上跳ね上がる方向への回動を確実に規制できる。しかも、座を着座位置から跳ね上げ位置へ向かって回動させた際に、座の裏面に設けた突起部が他の部位に優先して座支持体に当接するため、背凭れに座の前端部が当たることによって生じ得る背凭れの損傷や変形を防止することもできる。
【００１４】
特に、前記座が、裏面から下方に突出する前記突起部を前記座の回動中心よりも後方に設けたものであり、当該座を前記着座位置から前記跳ね上げ位置に向かって回動させた際に、前記突起部の下向面が前記座支持体に当接し得るようにすれば、座の回動中心よりも後方に設けた突起部が、座の着座位置から跳ね上げ位置への回動に伴って前方に向かって移動するものとなり、座を跳ね上げ位置に位置付けた際に、前方に移動しようとする当該突起部のうち、その下向面を座支持体に当接させることによって、突起部にその突出方向に沿った当接力が確実に作用することとなり、突起部の突出方向に沿った圧縮強度を利用して座のそれ以上背凭れに向かう回動を防止することができる。
【００１５】
加えて、前記座を前記跳ね上げ位置に位置付けた際に、前記突起部の前記下向面の全領域又は略全領域が前記座支持体に当接するようにすれば、座支持体と突起部との接触面積を有効に稼ぐことができ、良好な当接状態を実現できる。
【００１６】
座を前記跳ね上げ位置に位置付けた状態で前後方向にスタッキングすることが可能なものにおいて、前後方向にスタッキングする作業をスムーズ且つ好適に行うことができるようにするには、前後方向にスタッキングした際に、前記座の前端部又は前端部近傍部位が、他の部位よりも優先して前方に位置する他の椅子の前記背凭れの背面に当接するようにし、前記座の前端部又は前端部近傍と前記背凭れの背面との当接時の衝撃を緩和する緩衝手段を備えたものとすればよい。
【００１７】
好適な実施態様としては、前記突起部を樹脂製のものとし、前記緩衝手段が、前記座を前記跳ね上げ位置に位置付けた状態で前記座支持体に当接している前記突起部を、前記座の前端部又は前端部近傍と前記背凭れの背面との当接時に弾性変形させることによって、当該当接時の衝撃を緩和する態様が挙げられる。このようなものであれば、極めて簡単な構造で緩衝手段を構成することができる。
【００１８】
さらに、前記座の裏面に前記突起部を複数設ければ、各突起部に掛かる当接力を分担させることができる。
【００１９】
前記座が、当該座の裏面を形成する単一のシェル構造体からなる座本体を備えたものであり、当該座本体に前記突起部を一体に設ける態様であれば、突起部を別途座本体に組み付ける態様と比較して、組立工程の簡素化、構造の簡略化を有効に図ることができるのみならず、突起部と座本体との取付強度の向上にも資する。
【００２０】
座を支持する座支持体の好適な実施態様としては、前記座の回動中心となる回転軸と、当該回転軸よりも前方に設けられ、且つ前記着座位置に位置付けた座を裏面側から支持する支持フレームとを備えたものが挙げられ、この場合、前記座を前記着座位置から前記跳ね上げ位置へ向かって回動させた際に、前記突起部が前記支持フレームに当接するようにすれば、跳ね上げ位置に位置付けた座の突起部が当たる部材と、着座位置に位置付けた座を支持する部材とを共通化することができ、座支持体、ひいては椅子の構造簡略化を図ることができる。
【００２１】
また、前記座を前記跳ね上げ位置に位置付けた状態で前後方向にスタッキングすることが可能なものであり、前後方向にスタッキングした際に、座の裏面を形成する樹脂製の座本体と、前方に位置する他の椅子の背凭れの背面を形成する樹脂製の背凭れ本体とが、他の部位よりも優先して相互に当接するようにすれば、前後方向にスタッキングした際に各椅子の金属製の部材同士が当接する態様であれば生じる大きな衝撃音を効果的に抑制することができる。
【発明の効果】
【００２２】
以上説明したように本発明によれば、背及び座にそれぞれハンドル部を設けることにより、高さ方向に積み重ねる際に安定した状態でスムーズに持ち上げることができ、垂直スタッキング作業を容易且つ安全に行うことができるとともに、水平スタッキングを行う際にもスタッキング位置が簡単に決まり、そのピッチも最小限に抑えることができ、コンパクトに収めることができる。
【００２３】
さらには、座を着座位置から跳ね上げ位置へ向かって回動させた際に、突起部に、その突出方向と略同一方向に当接力が生じるようにしたため、当該突起部に突出方向と異なる方向から曲げの力が作用することを回避し、使用者が座を急に跳ね上げ位置へ回動させた場合や、水平スタッキング作業時に前方に位置する他の椅子と強く当たった場合、或いは長期に亘って座を着座位置と跳ね上げ位置との間で繰り返し回動させた場合であっても、跳ね上げ位置に位置付けた座のそれ以上跳ね上がる方向への回動を的確に規制し、座の一部が背凭れに当たることを確実に回避できる。
【発明を実施するための最良の形態】
【００２４】
〈第１実施形態〉
以下、本発明の一実施形態を第１実施形態として、図１〜図７を参照して説明する。
【００２５】
第１実施形態に係る椅子１は、図１〜図４に示すように、前脚２と、後脚３と、背凭れ４と、座５とを備えたものである。
【００２６】
前脚２及び後脚３はそれぞれパイプ状のフレーム材Ｆａ、Ｆｂを主体としてなり、下端部にキャスタ２１、３１を備えたものである。本実施形態では、後脚３として機能する左右一対のフレーム材Ｆｂの上端部に肘掛け６を設けている。一方、前脚２として機能する左右一対のフレーム材Ｆａの上端部位は背凭れ４の一部としても機能し、これら一対のフレーム材Ｆａの上端部位間に、背凭れ面を形成する背凭れ本体４１を取り付けている。
【００２７】
背凭れ４は、前脚２として機能する左右一対のフレーム材Ｆａの上端部位と、前記背凭れ本体４１とからなる。
【００２８】
背凭れ本体４１は、例えば樹脂製のシェル構造体であり、巾方向中央部を最も窪ませた平面視略部分円弧状をなすとともに、上端部に向かって漸次後方（背面側）へ傾斜させた３次元形状を有するものである。背凭れ本体４１の上端部には、他の部位よりも後方に向かって突出するリブ４１１を設け、このリブ４１１が、椅子１を持ち上げる際に掴むことが可能な「背側ハンドル部」として機能する。
【００２９】
前脚２及び後脚３はジョイント部材７によって相対角度変更不能に相互に交叉させた状態で保持されている。ジョイント部材７は、例えば樹脂製の一体品であり、前脚２を後脚３よりも相対的に内側（椅子１の巾方向中心側）に配した状態でこれら脚２、３同士を一体的に連結するものである。左右一対のジョイント部材７間に、ジョイント部材７同士を連結し且つ座５を支持する座支持体８を配している。
【００３０】
座５は、樹脂製のシェル構造体である座本体５１からなり、使用者が着座可能な着座位置（Ｘ）（図３参照）と、背凭れ４に向かって跳ね上がった跳ね上げ位置（Ｙ）（図４参照）との間で回動可能なものである。なお、以下、座５を説明するにあたって用いる「上」「下」「前」「後」方向は、特に言及しない限り、着座位置（Ｘ）に位置付けた座５の「上」「下」「前」「後」方向と一致するものとする。しかして、座５の裏面、すなわち座本体５１の裏面に、座５を跳ね上げ位置（Ｙ）に位置付けて持ち上げる際に使用者が手を引っ掛けることが可能な座側ハンドル部５１１と、座５を着座位置（Ｘ）に位置付けた場合に他の部位より優先して座支持部材８に当たる優先当たり部５１２とを設けている。座側ハンドル部５１１、及び優先当たり部５１２は座本体５１とともに一体に成形されている。
【００３１】
座側ハンドル部５１１は、座本体５１の裏面における前端部近傍部位に設けられ、着座位置（Ｘ）において周辺部位よりも下方に突出したものである。そして、この座側ハンドル部５１１の突出端部５１１ａは、背凭れ４の背面部（具体的には背凭れ本体４１の背面部）の形状に対応した形状をなしている。本実施形態では、座側ハンドル部５１１の突出端部５１１ａを、背凭れ４の背面部の平面視におけるアールに対応させた部分円弧状に切り欠いた形状に設定している。なお、座側ハンドル部５１１は、座本体５１の巾方向に沿って延び、リブとしても機能している。
【００３２】
次に、このような椅子１を図５に示すように、高さ方向に積み重ねる（以下、「垂直スタッキング」と称す）作業手順、及び作用について説明する。
【００３３】
先ず、座５を着座位置（Ｘ）から跳ね上げ位置（Ｙ）に移動させる。この作業は、座５の前端部を掴んで背凭れ４側に回動させる操作によって行う。なお、図示しない座５の回転軸は、座５の後端部近傍部位に設定している。座５を跳ね上げ位置（Ｙ）に位置付けると、座５の裏面が正面（前方）を向くため、前記座側ハンドル部５１１が前方へ突出した姿勢となる。この状態において、使用者は一方の手で、背凭れ４に設けた背側ハンドル部として機能するリブ４１１を持つとともに、他方の手で座５に設けた座側ハンドル部５１１を持つ（具体的には座側ハンドル部５１１に指を引っ掛ける）ことによって安定した姿勢で椅子１を持ち上げることができ、垂直スタッキング作業を簡単に行うことが可能である。本実施形態では、前脚２の後向面に後方に向かって突出させた後方突出部２２を設けるとともに、後脚３の前向面に前方に向かって突出させた前方突出部３２を設け、垂直スタッキングを行った状態で、相対的に積み重ねる側の椅子１（上方側の椅子１）の後方突出部２２及び前方突出部３２が、積み重ねられる側の椅子１（下方側の椅子１）の前脚２及び後脚３の所定部位にそれぞれ当たることによって、垂直スタッキング状態でガタツキが生じることを防止するとともに、安定した状態で略垂直に積み重ねることができる。なお、他の椅子１に積み重ねる時点で座５を跳ね上げ位置（Ｙ）から着座位置（Ｘ）に戻しておくことによって、当該椅子１に別の椅子１をさらに積み重ねることができるようにしている。また、座を着座位置（Ｘ）に位置付けた状態で、上方側の椅子１の座側ハンドル部５１１が下方側の椅子１に干渉しないようにしている。
【００３４】
次に、このような椅子１を図６に示すように、水平方向に重ねる（以下、「水平スタッキング」と称す）作業手順、及び作用について説明する。
【００３５】
水平スタッキングを行う場合は、着座位置（Ｘ）にある座５を跳ね上げ位置（Ｙ）に移動させ、前方の椅子１に対して後方から近付けることにより行う。これにより、相対的に後方側の椅子１の前脚２が、前方側の椅子１の後脚３の内側に位置付けられるとともに、所定距離近付けた時点で、図６のＡ領域の平断面図を模式的に示した図７に示すように、後方側の椅子１の座側ハンドル部５１１の突出端部５１１ａが、前方側の椅子１の背凭れ４に当たる。そして、突出端部５１１ａの形状を、背凭れ４の背面側の形状に対応させた円弧状にしているため、この突出端部５１１ａが背凭れ４の背面部に符合して嵌まり、水平スタッキングした椅子１同士の巾方向への位置ずれが抑制され、所定の水平スタッキングピッチを確保できるようにしている。本実施形態では、座側ハンドル部５１１を、前方に位置する他の椅子１の背凭れ４に当たることによって適正な水平スタッキング位置を決めるストッパとして機能させることにより、水平スタッキングを例えば１２０ｍｍという小ピッチで行えるように設定している。また、座側ハンドル部５１１の形状を上述した形状に設定することにより、座側ハンドル部５１１自体が、適正な水平スタッキング位置を示唆する水平スタッキング位置示唆部として機能している。したがって、水平スタッキングを行う際に、作業者はスタッキング位置を容易に把握できるとともに、適正な水平スタッキング位置にしなければならないという意識をもたずとも、座側ハンドル部５１１を前方に位置する椅子１の背凭れ４の背面部に当てるだけで、おのずと適正な水平スタッキング位置が確保される。
【００３６】
このように、本実施形態に係る椅子１は、持ち上げる際に使用者の手が引っ掛け可能な背側ハンドル部として機能するリブ４１１を有する背凭れ４と、着座位置（Ｘ）と跳ね上げ位置（Ｙ）との間で回動可能な座５とを備え、座５の裏面に、座５を跳ね上げ位置（Ｙ）に位置付けて持ち上げる際に使用者の手が引っ掛け可能な座側ハンドル部５１１を設けているため、垂直スタッキングを行う場合には、片方の手でリブ４１１を掴むとともに、他方の手で座側ハンドル部５１１を掴むことによって、従来のように専用のハンドル部を設けていない座５の一部を持つ態様と比較して、掴み損ねることがなく、持ち上げる作業を安定した姿勢でスムーズに行うことができる。また、予め跳ね上げ位置（Ｙ）に位置付けた状態で座側ハンドル部５１１を掴む態様であるため、垂直スタッキング作業中に座５が不意に跳ね上がることによって生じ得る不具合、つまり指を挟むという不具合や、安定した持ち上げ姿勢のバランスが崩れるという不具合が生じず、安全性も向上する。さらに、座側ハンドル部５１１を座５の裏面に設けているため、通常の使用状態、すなわち座５を着座位置（Ｘ）に位置付けた状態では座側ハンドル部５１１が座５の着座面側に露出することがなく、外観を損なうことがない。
【００３７】
特に、座側ハンドル部５１１を座５の裏面における前端部近傍部位に設けているため、座５を跳ね上げ位置（Ｙ）に位置付けた場合に、座側ハンドル部５１１が当該座５の上端部近傍に位置付けられることになり、この座側ハンドル部５１１に手を掛けるために深く前屈する必要が無く、楽な姿勢で座側ハンドル部５１１を掴むことができる。
【００３８】
加えて、座５を跳ね上げ位置（Ｙ）に位置付けた状態で水平方向に重ねることが可能であり、座側ハンドル部５１１が、前方に位置する他の椅子１の背凭れ４に当たることによって所定の水平スタッキングピッチを確保するためのストッパとして機能しているため、所定の水平スタッキングピッチを確保するために別途専用のストッパが不要となり、部品点数の削減、及び構造の簡略化に資する。また、専用のストッパが不要となるため、その分デザインの自由度が増す。
【００３９】
殊に、座側ハンドル部５１１が、着座位置（Ｘ）において他の部位より下方に突出したものであり、座側ハンドル部５１１の突出端部５１１ａを、背凭れ４の背面部にフィットする形状にしているため、水平スタッキングした際に、座側ハンドル部５１１の突出端部５１１ａが前方に位置する椅子１の背凭れ４の背面部にフィットすることによって、水平スタッキングした椅子１同士の巾方向への位置ずれを抑制し、所定の水平スタッキングピッチを確保することができる。
【００４０】
また、座側ハンドル部５１１の形状を、上述した形状、すなわち背凭れ４の背面部に対応する形状に設定することにより、座側ハンドル部５１１自体が、適正な水平スタッキング位置を示唆する水平スタッキング位置示唆部として機能するため、水平スタッキングを行う際に、作業者がスタッキング位置を直感的に把握できる。
【００４１】
座５が単一のシェル構造体からなる座本体５１を備えたものであり、座本体５１に座側ハンドル部５１１を一体に設けているため、座側ハンドル部５１１を別途座本体５１に組み付ける態様と比較して、組立工程の簡素化、構造の簡略化を有効に図ることができる。また、座側ハンドル部５１１がリブとしても機能し、座５の強度向上にも資する。
【００４２】
〈第２実施形態〉
次に、本発明の他の実施形態を第２実施形態として、図８〜図１６を参照して説明する。なお以下の説明における符号は前記第１実施形態と関係がないものとする。
【００４３】
第２実施形態に係る椅子１は、図８〜図１０に示すように、前脚２と、後脚３と、背凭れ４と、座５と、座５を支持する座支持体６とを備えたものである。
【００４４】
前脚２及び後脚３はそれぞれパイプ状のフレーム材Ｆａ、Ｆｂを主体としてなり、下端部にキャスタ２１、３１を備えたものである。本実施形態では、後脚３として機能する左右一対のフレーム材Ｆｂの上端部に肘掛け７を設けている。一方、前脚２として機能する左右一対のフレーム材Ｆａの上端部位は背凭れ４の一部としても機能し、これら一対のフレーム材Ｆａの上端部位間に、背凭れ面を形成する背凭れ本体（第２実施形態では、背凭れ本体を「背シェル４１」と称す）を取り付けている。
【００４５】
背凭れ４は、前脚２として機能する左右一対のフレーム材Ｆａの上端部位と、前記背シェル４１とを備えたものである。なお、背シェル４１の少なくとも前向面に図示しない張り地を張った背凭れとしても構わない。
【００４６】
背シェル４１は、例えば樹脂製のシェル構造体であり、巾方向中央部を最も窪ませた平面視略部分円弧状をなすとともに、上端部に向かって漸次後方（背面側）へ傾斜させた３次元形状を有するものである。背シェル４１の上端部には、他の部位よりも後方に向かって突出するリブ４１１を設け、このリブ４１１が、椅子１を持ち上げる際に掴むことが可能な「背側ハンドル部」として機能する。
【００４７】
前脚２及び後脚３はジョイント部材８によって相対角度変更不能に相互に交叉させた状態で保持されている。ジョイント部材８は、例えば樹脂製の一体品であり、前脚２を後脚３よりも相対的に内側（椅子１の巾方向中心側）に配した状態でこれら脚２、３同士を一体的に連結するものである。左右一対のジョイント部材８間に、対をなす前脚２同士を連結し且つ座５を図９に示す着座位置（Ｘ）と図１０に示す跳ね上げ位置（Ｙ）との間で回動可能に支持する座支持体６を配している。
【００４８】
座支持体６は、図１１（同図は、座５を跳ね上げ位置（Ｙ）に位置付けた椅子１の要部を一部省略して示す図である）に示すように、座５の後端部近傍部位に配され座５の回動中心となる回転軸６１と、回転軸６１から変位した箇所に設けられ、且つ着座位置（Ｘ）に位置付けた座５を裏面側から支持する支持フレーム６２とを備えたものである。
【００４９】
回転軸６１は、各前脚２の内向面からそれぞれ内方に向かって延びる一対の軸要素６１ａからなり、これら軸要素６１ａの軸中心を、同一直線上に設定している。
【００５０】
支持フレーム６２は、対をなす前脚２同士を連結するものである。本実施形態では、支持フレーム６２として横断面略矩形状をなす単一の角パイプを適用しており、図１３（同図は、着座位置（Ｘ）に位置付けた座５の支持状態を一部省略して示す模式図である）に示すように、着座位置（Ｘ）にある座５の裏面（具体的には後述する優先当たり部５１２）が、支持フレーム６２の上向面６２ａに当たるようにしている。この支持フレーム６２を、回転軸６１よりも下方であって且つ前方に変位した箇所に設けている。また、支持フレーム６２の両端部と前脚２との接続箇所はジョイント部材８によって被覆され、良好な外観を呈するようにしている。
【００５１】
座５は、樹脂製のシェル構造体である座本体（第２実施形態では、座本体を「座シェル５１」と称す）と、クッション性を有する座クッション５２とを備えたものであり、使用者が着座可能な着座位置（Ｘ）と、背凭れ４に向かって跳ね上がった跳ね上げ位置（Ｙ）との間で回動可能なものである。なお、以下、座５を説明するにあたって用いる「上」「下」「前」「後」方向は、特に言及しない限り、着座位置（Ｘ）に位置付けた座５の「上」「下」「前」「後」方向と一致するものとする。
【００５２】
座シェル５１は、図１２（同図は座シェル５１を底面側から見た状態を示す図である）に示すように、底壁部５１Ａと、底壁部５１Ａの前端部、両側端部、後端部からそれぞれ起立する前壁部５１Ｂ、両側壁部５１Ｃ、後壁部５１Ｄとによって上方に開放した概略箱型の構造体をなすものであり、さらに、座５を跳ね上げ位置（Ｙ）に位置付けて持ち上げる際に使用者が手を引っ掛けることが可能な座側ハンドル部５１１と、座５を着座位置（Ｘ）に位置付けた場合に他の部位より優先して座支持体６の支持フレーム６２に当たる優先当たり部５１２と、座５を跳ね上げ位置（Ｙ）に位置付けた場合に他の部位より優先して座支持体６の支持フレーム６２に当接する突起部５１３と、座５の着座位置（Ｘ）と跳ね上げ位置（Ｙ）との間での回動時に、その回動動作を妨げない状態で座支持体６の支持フレーム６２に摺接し得る摺接部５１４と、座支持体６の回転軸６１を受け容れる軸受け部５１５とを備えたものである。座シェル５１は、これら、各壁部（底壁部５１Ａ、前壁部５１Ｂ、側壁部５１Ｃ、後壁部５１Ｄ）、座側ハンドル部５１１、優先当たり部５１２、突起部５１３、摺接部５１４、及び軸受け部５１５を一体に有する成型品である。
【００５３】
座側ハンドル部５１１は、底壁部５１Ａの前端部近傍部位に設けられ、周辺部位よりも下方に突出した突出部５１１ａと、突出部５１１ａに連続し周辺部位よりも上方に窪ませた凹部５１１ｂとからなり、これら突出部５１１ａ及び凹部５１１ｂに指を引っ掛けることができるようにしている。そして、この座側ハンドル部５１１の突出端部（具体的には突出部５１１ａの下向面）を、背凭れ４の背面部（具体的には背シェル４１の背面）の形状に対応した形状に設定している。なお、座側ハンドル部５１１は、座シェル５１の巾方向に沿って延び、リブとしても機能している。
【００５４】
優先当たり部５１２は、底壁部５１Ａの巾方向中央部及び左右両側端部近傍部位の計３箇所に設けられており、本実施形態では、各優先当たり部５１２を、周辺部位よりも下方に突出し且つ座５の前後方向に延びる複数のリブ（図示例では３本のリブ）から構成している。
【００５５】
突起部５１３は、底壁部５１Ａのうち、各優先当たり部５１２を形成した領域である優先当たり部形成領域５１ＡＸよりもさらに後方の領域に設けられ、下方に向かって突出するものである。本実施形態では、底壁部５１Ａの巾方向中央部からそれぞれ側方に向かって変位した箇所に突起部５１３を設けている。このことから、本実施形態の座シェル５１は、左右一対の突起部５１３を有するものであるといえる。なお、各突起部５１３は中実状のものである。
【００５６】
摺接部５１４は、底壁部５１Ａのうち、優先当たり部形成領域５１ＡＸと、各突起部５１３を形成した領域である突起部形成領域５１ＡＹとの間の領域に設けられ、下方に突出する側面視略部分円弧状をなすものである。摺接部５１４は、軸受け部５１５に収容された座支持体６の回転軸６１を中心とする円弧状をなすものである。この摺接部５１４の後方に、突起部５１３を設けている。具体的には、突起部５１３の前向面５１３ｂを、摺接部５１４の後方側部位に沿った円弧形状とし、突起部５１３自体を摺接部５１４の後方に連続して設けている。これにより、座シェル５１が、座５の回動軸を中心とする円弧状の滑らかな曲面の一部に、その円弧から外方に突出した突起（突起部５１３）を有するものとなる。
【００５７】
軸受け部５１５は、底壁部５１Ａのうち、摺接部５１４の左右両側端部近傍領域に形成され厚み方向に貫通する窓部５１５ａと、各側壁部５１Ｃのうち、摺接部５１４の形状に対応させて下方に突出させた側面視略部分円弧状の部分に形成され、下方に開口する側面視略下向きＵ字状の切込部５１５ｂとを有するものである。
【００５８】
摺接部５１４及び軸受け部５１５は、座シェル５１の前後方向中央部よりも後方側に設けられている。これにより、本実施形態の座５は、後端部側の領域にその回動中心を設定したものとなり、前端部が回動時にフリーな回動自由端となる。
【００５９】
なお、本実施形態の座５は、図１１に示すように、各軸受け部５１５にそれぞれ回転軸６１を収容した状態、具体的には、窓部５１５ａを介して切込部５１５ｂの反開口縁（上縁）に当接又は近接する位置に回転軸６１を配した状態で、軸受け部５１５の窓部５１５ａを下方から被覆するカバー体５３を座シェル５１に取付可能にしている（図１１では説明の便宜上の一方の窓部５１５ａのみをカバー体５３によって被覆した状態を示している）。カバー体５３は、座シェル５１に取り付けた状態において摺接部５１４と略連続し得る側面視略円弧状をなし、摺接部５１４と共に、座５の着座位置（Ｘ）と跳ね上げ位置（Ｙ）との間での回動時に、その回動動作を妨げない状態で座支持体６の支持フレーム６２に摺接するものである。このカバー体５３は、切込部５１５ｂにも嵌合し得る嵌合部５３ａを一体に有している。嵌合部５３ａの上端部を側面視略上向きＵ字状に切り欠いた形状とし、当該嵌合部５３ａを切込部５１５ｂに嵌合させた状態で、切込部５１５ｂの反開口縁（上縁）と嵌合部５３ａの上端部との間に形成される空隙に回転軸６１（軸要素６１ａ）が配されるようにしている。このようなカバー体５３を座シェル５１に取り付けた状態で、嵌合部５３ａが座シェル５１の側壁部５１Ｃと略面一となるように設定している。
【００６０】
また、本実施形態の座５は、座シェル５１を上方から被覆し得る図示しないコア板を備え、このコア板と座シェル５１とを相互に組み付けた状態で、コア板に座クッション５２を載置した状態で取り付けている。なお、本実施形態では、各回転軸６１の内方端部（座５の巾方向中心側の端部）を回転可能に保持する回転軸保持部をコア板の左右両端部近傍に設けている（図示省略）。
【００６１】
このような構成を有する椅子１は、座５を着座位置（Ｘ）に位置付けることにより、当該座５に着座することができる。座５が着座位置（Ｘ）にある場合、当該座５は、図１３に示すように、座シェル５１の優先当たり部５１２を支持フレーム６２の上向面６２ａに当接させた状態で座支持体６に支持される。
【００６２】
次に、このような椅子１を複数用いて、図１５に示すように、前後方向から近付けることによって水平にスタッキングする（以下、「水平スタッキング」と称す）作業手順、及び作用について説明する。
【００６３】
水平スタッキングを行う場合、先ず着座位置（Ｘ）にある座５の前端部を掴んで、当該座５を座支持体６の回転軸６１を中心に跳ね上げ位置（Ｙ）に向かって跳ね上げる方向に回動させる。座５を着座位置（Ｘ）から跳ね上げ位置（Ｙ）へ向かって回動させる過程で、座シェル５１の優先当たり部５１２が支持フレーム６２から離れ、摺接部５１４及びカバー体５３が支持フレーム６２に摺接又は近接する。そして、座５を所定角度回動させた時点で、座シェル５１の突起部５１３が他の部位に優先して支持フレーム６２に当接し、座５のそれ以上同一方向への回動が規制され、座５が跳ね上げ位置（Ｙ）に位置付けられる。本実施形態では、座５の前端部が背凭れ４に当接する前に座シェル５１の突起部５１３が支持フレーム６２の当接するように設定している。すなわち、跳ね上げ位置（Ｙ）に位置付けた座５の前端部が背凭れ４に干渉しないようにしている。座５を跳ね上げ位置（Ｙ）に位置付けると、座５の裏面、つまり座シェル５１が正面（前方）を向くため、前記座側ハンドル部５１１や突起部５１３が前方に向かって突出した姿勢となる。
【００６４】
しかして、本実施形態では、図１４に示すように、突起部５１３が支持フレーム６２に当接した際に、突起部５１３にその圧縮方向に当接力が作用するようにしている。すなわち、当該突起部５１３に突出方向と異なる方向、つまり曲げ方向に当接力が作用しないように設定している。このように、突起部５１３の突出方向に沿った圧縮強度を利用して突起部５１３を支持フレーム６２に当接させることにより、過度の当接力が突起部５１３に作用した場合であっても、突起部５１３が座シェル５１からちぎれて離れ落ちたり、或いはその機能を発揮し得ない状態に変形してしまうという事態が発生することなく、良好な当接状態が維持され、座５がそれ以上背凭れ４に向かって大きく回動することを規制できる。また、本実施形態の突起部５１３は、座５を跳ね上げ位置（Ｙ）に位置付けた際に支持フレーム６２と面接触するように、その下向面５１３ａの形状を、支持フレーム６２のうち座５を跳ね上げ位置（Ｙ）に位置付けた際に当該下向面５１３ａが接触し得る外面にフィットする形状に設定している。本実施形態では、座５を跳ね上げ位置（Ｙ）に位置付けた際に突起部５１３の下向面５１３ａが支持フレーム６２のうちフラットな後向面６２ｂに接触する態様であるため、突起部５１３の下向面５１３ａをフラットな面に設定している。特に、本実施形態では、突起部５１３の下向面５１３ａを、座５を着座位置（Ｘ）に位置付けた状態で水平方向に対して所定角度傾斜させた傾斜面に設定している。これは、本実施形態の椅子１が、座５の着座位置（Ｘ）と跳ね上げ位置（Ｙ）との間の回動角度を９０度よりも大きな角度に設定しているものであり、９０度を越える角度分に応じた傾斜が突起部５１３の下向面５１３ａに要求されるためである。このことは、換言すれば、本実施形態の椅子１が、座５の着座位置（Ｘ）と跳ね上げ位置（Ｙ）との間の回動角度が９０度であれば、突起部５１３の下向面５１３ａを水平な面に設定すればよいということである。
【００６５】
このようにして跳ね上げ位置（Ｙ）に位置付けた座５を、前方の他の椅子１に後方から近付けると、相対的に後方側の椅子１の各前脚２が、前方側の椅子１の各後脚３の内側にそれぞれ位置付けられるとともに、椅子１同士を前後方向に所定距離近付けた時点で、後方側の椅子１における座５の前端部近傍領域（具体的には、座側ハンドル部５１１）が、前方側の椅子１における背凭れ４の背面部に当たる。この際、後方側の椅子１の座５が前方側の椅子１の背凭れ４に押圧され、座５の突起部５１３が若干弾性変形することによって座５のそれ以上の僅かな回動を許容するようにしている。その結果、水平スタッキングを行う場合に生じる椅子１同士の衝撃を緩和することができる。つまり、本実施形態の椅子１は、水平スタッキング時に緩衝機能を発揮するものであり、突起部５１３が、本発明の「緩衝手段」として機能する。なお、椅子１同士を前後方向に重ねた状態において、一方の椅子１を他方の椅子１に向かって近付ける操作力を停止又は軽減する（具体的には椅子１から手を離す）と、突起部５１３の弾性復帰力により相対的に後方側に位置する椅子１の座５が、その前端部近傍領域（具体的には、座側ハンドル部５１１）を前方の椅子１の背凭れ４に当たて状態で所定の跳ね上げ位置（Ｙ）に戻る。
【００６６】
さらに、座シェル５１に設けた座側ハンドル部５１１の突出端部の形状を、背凭れ４の背面側の形状に対応させた円弧状にしているため、この座側ハンドル部５１１の突出端部が背凭れ４の背面部に符合して嵌まり、水平スタッキングした椅子１同士の巾方向への位置ずれが抑制され、所定の水平スタッキングピッチを確保できるようにしている。本実施形態では、座側ハンドル部５１１を、前方に位置する他の椅子１の背凭れ４に当たることによって適正な水平スタッキング位置を決めるストッパとして機能させることにより、水平スタッキングを例えば１２０ｍｍという小ピッチで行えるように設定している。また、座側ハンドル部５１１の形状を上述した形状に設定することにより、座側ハンドル部５１１自体が、適正な水平スタッキング位置を示唆する水平スタッキング位置示唆部として機能している。これにより、使用者は適正な水平スタッキング位置にしなければならないという意識をもたずとも、座側ハンドル部５１１を前方に位置する椅子１の背凭れ４の背面部に当てるだけで、おのずと適正な水平スタッキング位置を確保することができる。さらに、本実施形態の椅子１は、水平スタッキングした際、相対的に前方に位置する椅子１の背凭れ４と相対的に後方に位置する椅子１の座側ハンドル５１１とが相互に当接するのみであり、このように樹脂製のパーツ同士のみが当接する態様とすることにより、スチール製の脚同士（例えば各椅子１の前脚２同士）が当接することを回避し、スタッキング時の衝撃音の発生を抑制している。
【００６７】
なお、本実施形態に係る椅子１は、図１６に示すように、高さ方向に積み重ねる（以下、「垂直スタッキング」と称す）ことも可能であり、以下にその作業手順、及び作用について簡単に説明する。
【００６８】
先ず、座５を着座位置（Ｘ）から跳ね上げ位置（Ｙ）に移動させ、次いで、一方の手で、前方へ突出した姿勢となる前記座側ハンドル部５１１を持つ（具体的には座側ハンドル部５１１に指を引っ掛ける）とともに、他方の手で、背凭れ４に設けた背側ハンドル部として機能するリブ４１１を持って、椅子１を持ち上げる。本実施形態では、前脚２の後向面に後方に向かって突出させた後方突出部２２を設けるとともに、後脚３の前向面に前方に向かって突出させた前方突出部３２を設け、垂直スタッキングを行った状態で、相対的に積み重ねる側の椅子１（上方側の椅子１）の後方突出部２２及び前方突出部３２が、積み重ねられる側の椅子１（下方側の椅子１）の前脚２及び後脚３の所定部位にそれぞれ当たることによって、垂直スタッキング状態でガタツキが生じることを防止するとともに、安定した状態で略垂直に積み重ねることができるようにしている。なお、他の椅子１に積み重ねる時点で座５を跳ね上げ位置（Ｙ）から着座位置（Ｘ）に戻しておくことによって、当該椅子１に別の椅子１をさらに積み重ねることができるようにしている。また、座５を着座位置（Ｘ）に位置付けた状態で、上方側の椅子１の座側ハンドル部５１１が下方側の椅子１に干渉しないようにしている。
【００６９】
このように、第２実施形態に係る椅子１は、第１実施形態の係る椅子と略同様の作用効果を得ることができるととともに、座５の裏面に、座５を着座位置（Ｘ）から跳ね上げ位置（Ｙ）へ向かって回動させた際に、他の部位よりも優先して座支持体６に当接し、座５のそれ以上同一方向への回動を規制する突起部５１３を設け、この突起部５１３にその圧縮方向に当接力が作用するように突起部５１３を座支持体６に当接させているため、突起部５１３に突出方向と異なる方向から曲げの力が作用することを回避し、使用者が座５を急に跳ね上げ位置（Ｙ）へ回動させた場合や、水平スタッキング作業時に前方に位置する他の椅子１と強く当たった場合、或いは長期に亘って座５を着座位置（Ｘ）と跳ね上げ位置（Ｙ）との間で繰り返し回動させた場合であっても、突起部５１３が座シェル５１からちぎれて離れ落ちることなく、良好な当接状態が維持され、突起部５１３の突出方向に沿った圧縮強度を利用して、座５のそれ以上跳ね上がる方向への回動を確実に規制できる。
【００７０】
しかも、座５が跳ね上げ位置（Ｙ）に到達した際に、回動自由端である座５の前端部側の領域が背凭れ４に当たる前に、突起部５１３が座支持体６に当接するようにしているため、座５の前端部が背凭れ４に当たることによって生じ得る背凭れ４の損傷や変形を防止することができる。
【００７１】
特に、座５が、裏面から下方に突出する突起部５１３を座５の回動中心よりも後方に設けたものであり、座５を着座位置（Ｘ）から跳ね上げ位置（Ｙ）に向かって回動させた際に、突起部５１３の下向面５１３ａが座支持体６に当接し得るようにしているため、座５の着座位置（Ｘ）から跳ね上げ位置（Ｙ）への回動に伴って突起部５１３が前方に向かって移動する態様となり、座５を跳ね上げ位置（Ｙ）に位置付けた際に、前方に移動しようとする突起部５１３のうち、その下向面５１３ａを座支持体６に当接させることによって、突起部５１３にその突出方向に沿った当接力が確実に作用することとなり、突起部５１３の突出方向に沿った圧縮強度を利用して座５のそれ以上背凭れ４に向かう回動を好適に防止することができる。
【００７２】
また、座５を跳ね上げ位置（Ｙ）に位置付けた際に、突起部５１３の下向面５１３ａの全領域又は略全領域が座支持体６に当接するようにしているため、座支持体６に当接する突起部５１３の面積を有効に稼ぐことができ、良好な当接状態を実現できる。
【００７３】
さらに、水平スタッキングを行う際に、相対的に後方側の椅子１における座５の座側ハンドル部５１１と、前方側の椅子１における固定された背凭れ４との当接時の衝撃を緩和する緩衝手段を備えているため、水平スタッキング作業をスムーズ且つ好適に行うことができる。
【００７４】
本実施形態では、突起部５１３を樹脂製のものとし、当該突起部５１３の弾性変形を利用して当接時の衝撃を緩和するようにしているため、極めて簡単な構造で緩衝手段を実現することができる。
【００７５】
加えて、水平スタッキングした際に、相対的に後方側の椅子１における座５の裏面を形成する樹脂製の座シェル５１と、相対的に前方側の椅子１における背凭れ４の背面部を形成する樹脂製の背シェル４１とが、他の部位よりも優先して相互に当接するようにしているため、水平スタッキングした際に各椅子１の金属製の部材同士（例えば脚２同士）が当接する態様であれば生じる大きな衝撃音を抑制することができる。
【００７６】
また、座５の裏面に突起部５１３を複数設けているため、各突起部５１３に掛かる負荷を軽減することができる。
【００７７】
特に、座シェル５１に突起部５１３を一体に設けているため、突起部５１３を別途座シェル５１に組み付ける態様と比較して、組立工程の簡素化、構造の簡略化を有効に図ることができるのみならず、突起部５１３と座シェル５１との取付強度の向上にも資する。
【００７８】
しかも、座支持体６が、座５の回動中心となる回転軸６１と、回転軸６１よりも前方に設けられ、且つ着座位置（Ｘ）に位置付けた座５を裏面側から支持する支持フレーム６２とを備えたものであり、座５を着座位置（Ｘ）から跳ね上げ位置（Ｙ）へ向かって回動させた際に、突起部５１３が支持フレーム６２に当接するようにしているため、跳ね上げ位置（Ｙ）に位置付けた座５の突起部５１３が当たる部材と、着座位置（Ｘ）に位置付けた座５を支持する部材とを共通化することができ、座支持体６、ひいては椅子１の構造簡略化を図ることができる。
【００７９】
なお、本発明は、以上に詳述した各実施形態に限られるものではない。
【００８０】
例えば、座側ハンドルは、座の裏面に設けられ且つ座を跳ね上げ位置に位置付けた場合に使用者が掴むことが可能なものであればよく、座の裏面における前端部近傍部位に限らず、側端部近傍部位や奥行き方向中央部位等に設けたものであってもよい。さらに、前記実施形態では、座側ハンドル部として、座の巾方向に沿って延びる単一の突起部からなるものを例示したが、複数の突起部からなるもの、例えば座の巾方向中央部を隔てた位置に対向配置した一対の突起部からなるものを適用しても構わない。
【００８１】
また、座側ハンドル部が、周辺部位よりも窪ませた凹部のみからなる態様、或いは凹凸部（例えば粗いシボ加工による凹凸部）である態様であってもよい。
【００８２】
座側ハンドル部の突出端部（座側ハンドル部の下向面）は、背凭れの背面部にフィットする形状であればよく、背面部が平面視部分多角形状であれば、突出端部も部分多角形状とすればよく、背面部が凹凸形状であれば、突出端部も凹凸形状とすればよく。
【００８３】
また、座側ハンドル部が座本体とは別体のものであり、座本体に一体的に取り付けたものであっても構わない。同様に、背側ハンドル部が、背凭れ本体とは別体のものであり、背凭れ本体に一体的に取り付けたものであっても構わない。
【００８４】
さらに、肘掛けを有さない椅子や、背凭れや座の表面に布地を被せた椅子、或いは背凭れや座にクッション性を持たせた椅子等、種々の椅子にも座の裏面に座側ハンドル部を設けることによって上記実施形態で述べた効果と略同様の効果を奏する。
【００８５】
また、座が単一の突起部を備えたものであっても構わない。この場合、突起部を座の左右巾方向に沿って延びる帯状のものとすれば、座支持体との当接領域を有効に稼ぐことができる。また、座が、３以上の突起部を備えたものであっても構わない。
【００８６】
また、水平スタッキングした際に、相対的に後方側の椅子における座の前端部又は前端部近傍部位と、他の部位よりも優先して相対的に前方側の椅子における背凭れの背面部との当接により生じる衝撃を緩和する緩衝手段として、水平スタッキング時に相互に当接する部位、すなわち相対的に後方側の椅子における座の前端部又は前端部近傍、及び相対的に前方側の椅子における背凭れの背面部の少なくとも何れか一方に弾性体を設け、弾性体の弾性変形によって衝撃を緩和する態様としてもよい。或いは、緩衝手段として、跳ね上げ位置に位置付けた座が不意に着座位置に向かって移動しない範囲で座の揺動を許容し、水平スタッキングした際に、この揺動可能範囲内で座を回動させることによって衝撃を緩和する態様としてもよい。
【００８７】
また、座を回動可能に支持する座支持体が、座の左右巾方向略全域に亘る長尺の回転軸を備えたものであっても構わない。座支持体の支持フレームが、角パイプ状のものではなく円筒状のものであっても構わない。この場合、突起部の下向面の形状を部分円弧状とすればよい。
【００８８】
さらに、肘掛けを有さない椅子や、背凭れや座の表面に布地を被せた椅子、或いは背凭れや座にクッション性を持たせた椅子等、種々の椅子にも座の裏面に、突起部を設け、突起部にその圧縮方向に当接力が作用するように突起部を座支持体に当接させることによって上記第２実施形態で述べた効果と略同様の効果を奏する。
【００８９】
その他、各部の具体的構成についても上記実施形態に限られるものではなく、本発明の趣旨を逸脱しない範囲で種々変形が可能である。
【図面の簡単な説明】
【００９０】
【図１】本発明の第１実施形態に係る椅子の全体斜視図。
【図２】同実施形態に係る椅子の正面図。
【図３】同実施形態において座が着座位置にある状態の椅子の側面図。
【図４】同実施形態において座が跳ね上げ位置にある状態の椅子の側面図。
【図５】同実施形態において複数の椅子を垂直スタッキングした状態を示す側面図。
【図６】同実施形態において複数の椅子を水平スタッキングした状態を示す側面図。
【図７】図６のＡ領域平断面図を模式的に示すものであり、座側ハンドル部がストッパとして機能している状態を示す作用説明図。
【図８】本発明の第２実施形態に係る椅子の全体概略図。
【図９】同実施形態において座が着座位置にある状態の椅子の側面図。
【図１０】同実施形態において座が跳ね上げ位置にある状態の椅子の側面図。
【図１１】同実施形態において座が跳ね上げ位置にある状態の椅子の部分拡大図。
【図１２】同実施形態における座シェルを底面側から見た状態を示す概略図。
【図１３】同実施形態における座が着座位置にある状態の椅子の作用説明図。
【図１４】同実施形態における座が跳ね上げ位置にある状態の椅子の作用説明図。
【図１５】同実施形態において複数の椅子を水平スタッキングした状態を示す側面図。
【図１６】同実施形態において複数の椅子を垂直スタッキングした状態を示す側面図。
【符号の説明】
【００９１】
（第１実施形態）
１…椅子
４…背凭れ
４１…背凭れ本体
４１１…背側ハンドル部（リブ）
５…座
５１…座本体
５１１…座側ハンドル部
５１１ａ…突出端部
（第２実施形態）
１…椅子
４…背凭れ
４１…背シェル
５…座
５１…座シェル
５１３…突起部
５１３ａ…下向面
６…座支持体
６１…回転軸
６２…支持フレーム
（Ｘ）…着座位置
（Ｙ）…跳ね上げ位置
【図１】
2009082684.tif 000003
【図２】
2009082684.tif 000004
【図３】
2009082684.tif 000005
【図４】
2009082684.tif 000006
【図５】
2009082684.tif 000007
【図６】
2009082684.tif 000008
【図７】
2009082684.tif 000009
【図８】
2009082684.tif 000010
【図９】
2009082684.tif 000011
【図１０】
2009082684.tif 000012
【図１１】
2009082684.tif 000013
【図１２】
2009082684.tif 000014
【図１３】
2009082684.tif 000015
【図１４】
2009082684.tif 000016
【図１５】
2009082684.tif 000017
【図１６】
2009082684.tif 000018